(57)【要約】【課題】ベゼルによる段差や表面の不均一性を予め防止または減少させることで不良率を低減したタッチセンサを提供する。【解決手段】本発明のタッチセンサは、ウィンドウ基板１１０と、ウィンドウ基板１１０の周縁に沿って形成されるベゼル１２０と、ベゼル１２０とベゼル１２０との間を充填しながら積層または接着されて、ウィンドウ基板１１０上に形成される絶縁層１５０と、絶縁層１５０上に形成される電極パターン１４０と、を含むものである。【選択図】図２
2015018532.tif 000002
【特許請求の範囲】
【請求項１】
ウィンドウ基板と、
前記ウィンドウ基板の周縁に沿って形成されるベゼルと、
前記ベゼルとベゼルとの間を充填しながら積層または接着されて、前記ウィンドウ基板上に形成される絶縁層と、
前記絶縁層上に形成される電極パターンと、を含む、タッチセンサ。
【請求項２】
前記絶縁層の材質として、アクリル（ａｃｒｙｌ）系、ウレタン（ｕｒｅｔｈａｎｅ）系、シリコーン（ｓｉｌｉｃｏｎｅ）系、ポリエステル（ｐｏｌｙｅｓｔｅｒ）系、ポリアミド（ｐｏｌｙａｍｉｄｅ）系、エポキシ（ｅｐｏｘｙ）系、ビニルアルキルエーテル（ｖｉｎｙｌ  ａｌｋｙｌ  ｅｔｈｅｒ）系、ＳｉＯｘおよびＳｉＮｘなどの材質のうち一つを使用することを特徴とする、請求項１に記載のタッチセンサ。
【請求項３】
ウィンドウ基板と、
前記ウィンドウ基板の周縁に沿って形成されるベゼルと、
前記ベゼルとベゼルとの間を充填しながら積層され、前記ウィンドウ基板上に形成される第１絶縁層と、
前記ベゼルおよび第１絶縁層上に塗布および接着して形成される第２絶縁層と、
前記第２絶縁層上に形成される電極パターンと、を含む、タッチセンサ。
【請求項４】
前記第１絶縁層は、前記ベゼルの高さ（ＢＬ）まで積層されて形成されることを特徴とする、請求項３に記載のタッチセンサ。
【請求項５】
積層方向における前記ベゼルの高さ（ＢＬ）は、次の式：０μｍ＜高さ（ＢＬ）≦４０μｍを満たすことを特徴とする、請求項３に記載のタッチセンサ。
【請求項６】
積層方向における前記第１絶縁層の高さ（Ｌ）は、次の式：０μｍ≦前記第１絶縁層の高さ（Ｌ）μｍ＜（前記ベゼルの高さ（ＢＬ）×１．３）μｍを満たすことを特徴とする、請求項３に記載のタッチセンサ。
【請求項７】
前記ウィンドウ基板の中央点における高さ（ｄ）は、次の式：積層方向における第２絶縁層の高さ（２Ｌ）×０．０５μｍ＜中央点における高さ（ｄ）μｍ＜前記第２絶縁層の高さ（２Ｌ）×１．３μｍを満たすことを特徴とする、請求項６に記載のタッチセンサ。
【請求項８】
積層方向における前記第２絶縁層の高さ（２Ｌ）は、ベゼルの高さ（ＢＬ）の３倍を超えないように形成されることを特徴とする、請求項６に記載のタッチセンサ。
【請求項９】
前記第１絶縁層と前記第２絶縁層の材質は同じ材質であることを特徴とする、請求項６に記載のタッチセンサ。
【請求項１０】
前記第１絶縁層と前記第２絶縁層の材質として、アクリル（ａｃｒｙｌ）系、ウレタン（ｕｒｅｔｈａｎｅ）系、シリコーン（ｓｉｌｉｃｏｎｅ）系、ポリエステル（ｐｏｌｙｅｓｔｅｒ）系、ポリアミド（ｐｏｌｙａｍｉｄｅ）系、エポキシ（ｅｐｏｘｙ）系、ビニルアルキルエーテル（ｖｉｎｙｌ  ａｌｋｙｌ  ｅｔｈｅｒ）系、ＳｉＯｘおよびＳｉＮｘなどの材質のうち一つを使用することを特徴とする、請求項９に記載のタッチセンサ。
【請求項１１】
ａ）周縁に沿ってベゼルが形成されたウィンドウ基板を固定する段階と、
ｂ）前記ウィンドウ基板の一面に形成され、且つ前記ベゼルとベゼルとの間に第１絶縁層を充填する段階と、
ｃ）前記ベゼルと第１絶縁層を横切って第２絶縁層を形成する段階と、
ｄ）前記第２絶縁層上に電極パターンを形成する段階と、を含む、タッチセンサの製造方法。
【請求項１２】
前記ｂ）段階において、
積層方向に形成された前記第１絶縁層の高さ（Ｌ）は、次の式：０≦Ｌ＜（前記ベゼルの高さ（ＢＬ）×１．３）μｍを満たすことを特徴とする、請求項１１に記載のタッチセンサの製造方法。
【請求項１３】
前記ｃ）段階において、
前記ウィンドウ基板の中央点における高さ（ｄ）は、次の式：（積層方向における前記第２絶縁層の高さ（２Ｌ）×０．０５）＜ｄ＜（前記絶縁層の高さ（２Ｌ）×１．３）μｍを満たすことを特徴とする、請求項１２に記載のタッチセンサの製造方法。
【請求項１４】
前記ｃ）段階において、
積層方向における前記第２絶縁層の高さ（２Ｌ）は、前記ベゼルの高さ（ＢＬ）に対して３倍の大きさを超えないように形成されることを特徴とする、請求項１２に記載のタッチセンサの製造方法。
【請求項１５】
前記ｃ）段階において、
前記第２絶縁層は前記第１絶縁層と同じ材質を使用することを特徴とする、請求項１４に記載のタッチセンサの製造方法。
【発明の詳細な説明】
【技術分野】
【０００１】
本発明は、タッチセンサに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキストおよびグラフィック処理を行う。
【０００３】
しかし、情報化社会の急速な進行により、コンピュータの用途が益々拡大する傾向にあるため、現在、入力装置の役割を担当しているキーボードおよびマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を超えて、高信頼性、耐久性、革新性、設計および加工に関する技術などが注目されており、このような目的を達成するために、テキスト、グラフィックなどの情報入力が可能な入力装置としてタッチセンサ（ｔｏｕｃｈ  ｓｅｎｓｏｒ）が開発された。
【０００５】
タッチセンサは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置およびＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
一方、タッチセンサの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）および赤外線方式（Ｉｎｆｒａｒｅｄ  Ｔｙｐｅ）に区分される。このような様々な方式のタッチセンサは、信号増幅の問題、解像度の差、設計および加工技術の難易度、光学的特性、電気的特性、機械的特性、耐環境特性、入力特性、耐久性および経済性を考慮して電子製品に採用されるが、現在もっとも幅広い分野で用いられている方式は、抵抗膜方式タッチセンサおよび静電容量方式タッチセンサである。
【０００７】
このようなタッチセンサには、通常、タッチセンサ構造の最外側に設けられるウィンドウガラス（ｗｉｎｄｏｗ  ｇｌａｓｓ）に、電極配線を隠したり、装飾パターンが形成されえる黒色または白色などの色を有するベゼル部が形成される。
【０００８】
ベゼル部が形成されている従来のタッチセンサの具体的な一例としては、特許文献１に開示されたタッチセンサが挙げられる。
【０００９】
しかし、従来のタッチセンサは、ベゼル部に電極を形成する際、ベゼル部の段差や表面の不均一性による電極の断線またはクラックが生じる問題がある。
【先行技術文献】
【特許文献】
【００１０】
【特許文献１】韓国公開特許第２０１０−０１３４２２６号公報
【発明の概要】
【発明が解決しようとする課題】
【００１１】
本発明は、上述の従来技術の問題点を解決するためのものであって、本発明の目的は、ベゼルによる段差や表面の不均一性を予め防止または減少させることで不良率を低減したタッチセンサを提供することにある。
【課題を解決するための手段】
【００１２】
本発明の一実施例によるベゼル組成物を含むタッチセンサは、ウィンドウ基板と、前記ウィンドウ基板の周縁に沿って形成されるベゼルと、前記ベゼルとベゼルとの間を充填しながら積層または接着されて、前記ウィンドウ基板上に形成される絶縁層と、前記絶縁層上に形成される電極パターンと、を含むタッチセンサを提供する。
【００１３】
本発明の一実施例によるタッチセンサとして、前記絶縁層の材質として、アクリル（ａｃｒｙｌ）系、ウレタン（ｕｒｅｔｈａｎｅ）系、シリコーン（ｓｉｌｉｃｏｎｅ）系、ポリエステル（ｐｏｌｙｅｓｔｅｒ）系、ポリアミド（ｐｏｌｙａｍｉｄｅ）系、エポキシ（ｅｐｏｘｙ）系、ビニルアルキルエーテル（ｖｉｎｙｌ  ａｌｋｙｌ  ｅｔｈｅｒ）系、ＳｉＯｘおよびＳｉＮｘなどの薄膜のうち一つを使用することが好適である。
【００１４】
本発明の一実施例によるタッチセンサとして、ウィンドウ基板と、前記ウィンドウ基板の周縁に沿って形成されるベゼルと、前記ベゼルとベゼルとの間を充填しながら積層され、前記ウィンドウ基板上に形成される第１絶縁層と、前記ベゼルおよび第１絶縁層上に塗布および接着して形成される第２絶縁層と、前記第２絶縁層上に形成される電極パターンと、を含むタッチセンサを提供する。
【００１５】
本発明の一実施例によるタッチセンサとして、前記第１絶縁層は、前記ベゼルの高さ（ＢＬ）まで積層されてなることが好ましい。
【００１６】
本発明の一実施例によるタッチセンサとして、積層方向における前記ベゼルの高さ（ＢＬ）は、次の式：０μｍ＜高さ（ＢＬ）≦４０μｍを満たすことが好適である。
【００１７】
本発明の一実施例によるタッチセンサとして、積層方向における前記第１絶縁層の高さ（Ｌ）は、次の式：０μｍ≦前記第１絶縁層の高さ（Ｌ）μｍ＜（前記ベゼルの高さ（ＢＬ）×１．３）μｍを満たすことが好ましい。
【００１８】
本発明の一実施例によるタッチセンサとして、前記ウィンドウ基板の中央点における高さ（ｄ）は、次の式：積層方向における第２絶縁層の高さ（２Ｌ）×０．０５μｍ＜中央点における高さ（ｄ）μｍ＜前記第２絶縁層の高さ（２Ｌ）×１．３μｍを満たすことが好適である。
【００１９】
本発明の一実施例によるタッチセンサとして、積層方向における前記第２絶縁層の高さ（２Ｌ）は、ベゼルの高さ（ＢＬ）の３倍を超えないように形成されることが好ましい。
【００２０】
本発明の一実施例によるタッチセンサとして、前記第１絶縁層と前記第２絶縁層の材質は同じ材質であることが好適である。
【００２１】
本発明の一実施例によるタッチセンサとして、前記第１絶縁層と前記第２絶縁層の材質として、アクリル（ａｃｒｙｌ）系、ウレタン（ｕｒｅｔｈａｎｅ）系、シリコーン（ｓｉｌｉｃｏｎｅ）系、ポリエステル（ｐｏｌｙｅｓｔｅｒ）系、ポリアミド（ｐｏｌｙａｍｉｄｅ）系、エポキシ（ｅｐｏｘｙ）系、ビニルアルキルエーテル（ｖｉｎｙｌ  ａｌｋｙｌ  ｅｔｈｅｒ）系、ＳｉＯｘおよびＳｉＮｘなどの薄膜のうち一つを使用することが好ましい。
【００２２】
本発明の第２実施例によるタッチセンサの製造方法として、ａ）周縁に沿ってベゼルが形成されたウィンドウ基板を固定する段階と、ｂ）前記ウィンドウ基板の一面に形成され、且つ前記ベゼルとベゼルとの間に第１絶縁層を充填する段階と、ｃ）前記ベゼルと第１絶縁層を横切って第２絶縁層を形成する段階と、ｄ）前記第２絶縁層上に電極パターンを形成する段階と、を含むタッチセンサの製造方法を提供する。
【００２３】
本発明の第２実施例によるタッチセンサの製造方法として、前記ｂ）段階において、積層方向に形成された前記第１絶縁層の高さ（Ｌ）は、次の式：０≦Ｌ＜（前記ベゼルの高さ（ＢＬ）×１．３）μｍを満たすことが好適である。
【００２４】
本発明の第２実施例によるタッチセンサの製造方法として、前記ｃ）段階において、前記ウィンドウ基板の中央点における高さ（ｄ）は、次の式：（積層方向における前記第２絶縁層の高さ（２Ｌ）×０．０５）＜ｄ＜（前記絶縁層の高さ（２Ｌ）×１．３）μｍを満たすことが好ましい。
【００２５】
本発明の第２実施例によるタッチセンサの製造方法として、前記ｃ）段階において、積層方向における前記第２絶縁層の高さ（２Ｌ）は、前記ベゼルの高さ（ＢＬ）に対して３倍の大きさを超えないように形成されることが好適である。
【００２６】
本発明の第２実施例によるタッチセンサの製造方法として、前記ｃ）段階において、前記第２絶縁層は前記第１絶縁層と同じ材質を使用することが好ましい。
【発明の効果】
【００２７】
本発明によれば、絶縁層を形成することで、塗布工程時に生じる段差や表面の不均一性を除去または減少させて不良率を低減する効果がある。
【００２８】
また、本発明によれば、絶縁層を形成することで、電極の断線と誤動作を防止する効果がある。
【００２９】
そして、本発明によれば、平坦な絶縁層を形成することで、絶縁層の表面に電極を容易に形成できる効果がある。
【００３０】
また、本発明によれば、絶縁層を形成することで、電極の電気的な通電が向上したタッチセンサを提供することができる。
【００３１】
更に、本発明によれば、絶縁層を形成することで、電極に対する信頼性が向上したタッチセンサを提供することができる。
【図面の簡単な説明】
【００３２】
【図１】本発明の一実施例によるタッチセンサの平面図である。
【図２】図１に対するタッチセンサの断面図である。
【図３】第１絶縁層を含む図１のタッチセンサの断面図である。
【図４】図３の第２絶縁層が形成された断面図である。
【図５】スクリーン印刷方式の工程時に発生する形状の例示図である。
【図６】ドライフィルムラミネーション工程時の例示図である。
【図７】本発明の第２実施例によるタッチセンサの断面図である。
【図８】本発明の一実施例によるタッチセンサの製造工程を示す図である。
【発明を実施するための形態】
【００３３】
本発明の目的、特定の長所および新規の特徴は、添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３４】
以下、添付図面を参照して、本発明の好ましい実施例を詳細に説明する。
【００３５】
図１は、本発明の一実施例によるタッチセンサの平面図であり、図２は、図１に対するタッチセンサの断面図であり、図３は、第１絶縁層を含む図１のタッチセンサの断面図であり、図４は、図３の第２絶縁層が形成された断面図であり、図５は、スクリーン印刷方式の工程時に発生する形状の例示図であり、図６は、ドライフィルムラミネーション工程時の例示図であり、図７は、本発明の第２実施例によるタッチセンサの断面図であり、図８は、本発明の一実施例によるタッチセンサの製造工程を示す図である。
【００３６】
図１を参照して説明すると、本発明の一実施例によるタッチセンサは、ウィンドウ基板１１０と、ウィンドウ基板１１０の非活性領域に配置されるベゼル１２０と、を含む。
【００３７】
本発明は、ウィンドウ基板１１０とベゼル１２０の加工時に生じる段差を除去するか最小化して、絶縁層１５０上に形成される電極パターン１４０の電気的な作動信頼性を向上させる。また、加工工程の収率を向上させることで、タッチセンサ１の生成率を向上させる。
【００３８】
図１および図２を参照して説明すると、ウィンドウ基板１１０は、タッチ位置を検出するための電極パターン１４０が形成される領域を提供する役割を行うことができる。ウィンドウ基板１１０は、電極パターン１４０を支持するための支持力、および画像表示装置で提供される画像をユーザが認識するための透明性を備えなければならない。ウィンドウ基板１１０に、第１絶縁層１５１と第２絶縁層１５２が順に塗布されて積層される。
【００３９】
ウィンドウ基板１１０は、タッチセンサ１の最外側でユーザのタッチが入力される方向に形成され、所定強度以上の強化ガラス等を使用することでタッチセンサ１を保護する保護層の役割を同時に行うことができる。上述の支持力および透明性を考慮すると、ウィンドウ基板１１０は、透明度を考慮して、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）などの材質を使用してもよい。
【００４０】
一方、ウィンドウ基板１１０は、図１に示されたように、活性領域１１１と、活性領域１１１の周縁に沿って形成される非活性領域１１２とに分けられる。活性領域１１１は、ユーザによるタッチ作用が行われる領域であり、ユーザが機器の動作場面を視覚的に確認する画面領域である。また、非活性領域１１２は、ウィンドウ基板１１０に形成される、後述するベゼル１２０で隠されて外部に露出しない領域である。
【００４１】
ベゼル１２０は、ウィンドウ基板１１０の非活性領域１１２に形成される。ベゼル１２０は、ウィンドウ基板１１０の周縁に沿って配置される。すなわち、ベゼル１２０は、非活性領域１１２の一側に配置されて０μｍから４０μｍ以下の高さ（ＢＬ）を有するように形成されることが好ましい。タッチセンサ１の視認性および製品の厚さを考慮してベゼル１２０の高さ（ＢＬ）が決まる。
【００４２】
ベゼル１２０は、ウィンドウ基板１１０の非活性領域１１２で配線電極の一側を隠すか装飾の役割を行う。また、ベゼル１２０には、必要に応じて、製造社のロゴなどの装飾パターンが形成されてもよい。
【００４３】
図３および図４を参照して説明すると、絶縁層１５０は、後述する電極パターン１４０を保護する役割を行う。絶縁層１５０は、第１絶縁層１５１と第２絶縁層１５２が順に積層される。絶縁層１５０は、ベゼル１２０の高さ（ＢＬ）まで塗布して絶縁する第１絶縁層１５１と、第１絶縁層１５１の表面を塗布する第２絶縁層１５２と、を含む。場合に応じて、段差がある程度許容されるが、表面の不均一性を解消する必要がある場合は、第１絶縁層の塗布を省略してもよい。この場合、第１絶縁層の塗布を省略し、スピンコーティングやフィルム形態で第２絶縁層を接着または塗布することができる。この場合、絶縁層は、図６に示された形態と同様な形態を有する。
【００４４】
第１絶縁層１５１は、ウィンドウ基板１１０の一側に接し、ベゼル１２０とベゼル１２０との間を充填する。この際、第１絶縁層１５１は、ベゼル１２０の高さ（ＢＬ）まで塗布して水平な面を形成することが好ましい。これは、第１絶縁層１５１の高さ（Ｌ）とベゼル１２０の高さ（ＢＬ）が互いに水平をなすようにする。
【００４５】
第１絶縁層１５１は、プリンティング（Ｐｒｉｎｔｉｎｇ）、ＣＶＤ（Ｃｈｅｍｉｃａｌ  Ｖａｐｅｒ  Ｄｅｐｏｓｉｔｉｏｎ）、スパッタリング（Ｓｐｕｔｔｅｒｉｎｇ）、スピンコーティング、スロットダイ、ラミネーションなどにより有機絶縁膜または無機絶縁膜からなる。この際、第１絶縁層１５１の高さ（Ｌ）は、ベゼル１２０の高さ（ＢＬ）と水平をなすように塗布および接着工程を行う。この際、ベゼル１２０の高さ（ＢＬ）と、第１絶縁層１５１の高さ（Ｌ）との間で工程公差が発生する。
【００４６】
図５および図６を参照して、工程の一例として、スクリーンプリンティングとフィルムを使用する接着工程で生じる現象について説明する。第１絶縁層１５１の塗布液２００または接着層が両側に偏る現象（図５の（ａ）参照）、第１絶縁層１５１の塗布液２００または接着層がベゼル１２０の高さ（ＢＬ）より少なく投入される現象（図５の（ｂ）、（ｃ）参照）、第１絶縁層１５１の塗布液または接着層がベゼル１２０の高さ（ＢＬ）より多く投入される現象（図５の（ｄ）参照）、第１絶縁層１５１の塗布液または接着層がベゼル１２０を横切ってベゼル１２０に接着される現象（図６を参照）などが生じる。このような現象は、ベゼル１２０とベゼル１２０との間に第１絶縁層１５１を充填させる工程で生じている。また、第１絶縁層１５１において上述の現象が生じる場合、配線電極または後述する電極パターン１４０上の電気的信号が短絡する問題点が生じた。また、電極パターン１４０を絶縁層１５０に水平に形成することが困難であるという問題点が発生した。
【００４７】
図３を参照して説明すると、第１絶縁層１５１でベゼル１２０とベゼル１２０との間を充填する。この際、第１絶縁層１５１の高さ（Ｌ）は、次の式：０≦第１絶縁層１５１の高さ（Ｌ）≦ベゼル１２０の高さ（ＢＬ）×１．３μｍを満たす。この際、ベゼル１２０の高さ（ＢＬ）は、次の式：０μｍ＜ベゼルの高さ（ＢＬ）≦４０μｍを満たす。
【００４８】
第１絶縁層１５１の塗布液または接着層のａ点とｂ点との高さの差が中央部分の高さに対して３５％以下に形成される。第１絶縁層の加工公差は、（ａ点の高さ−ｂ点の高さ）／ｂ点の高さ×１００＜３５％以内に形成される。すなわち、第１絶縁層１５１は、水平に形成されておらず、加工公差が存在することを確認できる。第１絶縁層１５１の材質として、アクリル（ａｃｒｙｌ）系、ウレタン（ｕｒｅｔｈａｎｅ）系、シリコーン（ｓｉｌｉｃｏｎｅ）系、ポリエステル（ｐｏｌｙｅｓｔｅｒ）系、ポリアミド（ｐｏｌｙａｍｉｄｅ）系、エポキシ（ｅｐｏｘｙ）系、ビニルアルキルエーテル（ｖｉｎｙｌ  ａｌｋｙｌ  ｅｔｈｅｒ）系、ＳｉＯｘおよびＳｉＮｘなどの薄膜のうち一つを使用することが好ましい。
【００４９】
図４を参照して説明すると、第２絶縁層１５２は、第１絶縁層１５１とベゼル１２０の表面に形成される。第２絶縁層１５２は、第１絶縁層１５１とベゼル１２０の表面に接して形成される。第２絶縁層１５２は、ベゼル１２０の非活性領域１１２に形成された配線電極の断線を解消して電気的信頼性を向上させる。第２絶縁層１５２の中心ｄの高さは、第２絶縁層１５２の高さ（２Ｌ）×０．０５μｍ＜中心ｄの高さμｍ＜第２絶縁層１５２の高さ（２Ｌ）×１．３μｍを有する。すなわち、第２絶縁層１５２を塗布または接着すると、加工公差を著しく減少することを確認できる。
【００５０】
第２絶縁層１５２の高さ（２Ｌ）は、２Ｌ（μｍ）／ＢＬ（μｍ）≦３を有することが好ましい。即ち、第１絶縁層１５１および第２絶縁層１５２と、ベゼル１２０の高さを含む高さは１２０μｍ以下に設定することが好ましい。
【００５１】
第２絶縁層１５２の材質として、アクリル（ａｃｒｙｌ）系、ウレタン（ｕｒｅｔｈａｎｅ）系、シリコーン（ｓｉｌｉｃｏｎｅ）系、ポリエステル（ｐｏｌｙｅｓｔｅｒ）系、ポリアミド（ｐｏｌｙａｍｉｄｅ）系、エポキシ（ｅｐｏｘｙ）系、ビニルアルキルエーテル（ｖｉｎｙｌ  ａｌｋｙｌ  ｅｔｈｅｒ）系ＳｉＯｘおよびＳｉＮｘなどの薄膜のうち一つを使用することが好ましい。これは、第２絶縁層１５２の材質を限定するためではない。第２絶縁層１５２は、第１絶縁層１５１と同じ材質で形成することが好ましい。
【００５２】
電極パターン１４０は、第２絶縁層１５２上に形成される。１層構造の電極パターン１４０を用いて自己静電容量方式（Ｓｅｌｆ  Ｃａｐａｃｉｔｉｖｅ  Ｔｙｐｅ）タッチセンサまたは相互静電容量方式（Ｍｕｔｕａｌ  Ｃａｐａｃｉｔｉｖｅ  Ｔｙｐｅ）タッチセンサを製作することができる。しかし、本発明に係るタッチセンサは、これに制限されるものではない。
【００５３】
本発明に係る第２実施例のタッチセンサについて説明するにあたり、第１実施例と同一の構成要素は省略し、本発明に係る第２実施例の電極パターンの構造について詳細に説明する。
【００５４】
図７を参照して説明すると、電極パターン１４０は、第２絶縁層１５２上に形成される第１電極パターン１４１と、第１電極パターン１４１と離隔して形成される第２電極パターン１４２が形成される。電極パターン１４０は、第１電極パターン１４１と第２電極パターン１４２との間に接着層が形成される。接着層は、第１電極パターン１４１と第２電極パターン１４２が対向するように配置する役割を行う。ここで、第１接着層の材質は、特に制限されず、光学透明接着剤（Ｏｐｔｉｃａｌ  Ｃｌｅａｒ  Ａｄｈｅｓｉｖｅ、ＯＣＡ）、両面接着テープ（Ｄｏｕｂｌｅ  Ａｄｈｅｓｉｖｅ  Ｔａｐｅ、ＤＡＴ）またはその他の透明絶縁材料を用いてもよい。
【００５５】
電極パターン１４０は、タッチの入力手段によって信号を発生させ、制御部（図示せず）からタッチ座標を認識するための役割を行うものである。第１電極パターン１４１と第２電極パターン１４２は、互いに交差する方向に形成されてもよい。例えば、第１電極パターン１４１がＸ軸方向に互いに平行に少なくとも一つ以上が形成される際、一つ以上の第２電極パターン１４２が第１電極パターン１４１に交差するＹ軸方向に互いに平行に形成されてもよい。そのため、第１電極パターン１４１と第２電極パターン１４２によって、ユーザのタッチ点の座標を認識してタッチセンサを駆動させることができる。本発明において、第１電極パターン１４１および第２電極パターン１４２に使用できる材質は、伝導性を有する材質であれば特に限定されない。
【００５６】
電極パターン１４０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせを用いてメッシュパターン（Ｍｅｓｈ  Ｐａｔｔｅｒｎ）に形成される。特に、メッシュパターンは少なくとも一つ以上の単位パターン（図示せず）が連続して配列されることで形成することができる。ここで、単位パターンは、四角形、三角形、ダイヤモンド型およびその他の様々な形状から選択されてもよい。
【００５７】
一方、電極パターン１４０は、上述の金属以外にも、銀塩乳剤層を露光／現像して形成された金属銀、ＩＴＯ（Ｉｎｄｉｕｍ  Ｔｈｉｎ  Ｏｘｉｄｅ）などの金属酸化物、または柔軟性に優れ、コーティング工程が単純なＰＥＤＯＴ／ＰＳＳなどの伝導性高分子を用いて形成してもよい。
【００５８】
図８は、本発明の一実施例によるタッチセンサの製造工程を示す図である。
【００５９】
本発明の一実施例によるタッチセンサ１の工程方法は、ａ）周縁に沿ってベゼルが形成されたウィンドウ基板を固定する段階と、ｂ）前記ウィンドウ基板の一面に形成され、且つ前記ベゼルとベゼルとの間に第１絶縁層を充填する段階と、ｃ）前記ベゼルと第１絶縁層を横切って第２絶縁層を形成する段階と、ｄ）前記第２絶縁層上に電極パターンを形成する段階と、を含むことができる。
【００６０】
ウィンドウ基板１１０は、タッチセンサ１の視認性のための透明な材質と、外部衝撃から内部を保護するための強化ガラスを使用する。ウィンドウ基板１１０の材質および関連説明については、前記本発明の一実施例によるタッチセンサ１に係る説明で説明したため、重複する説明は省略する。
【００６１】
図８の（ａ）は、ウィンドウ基板１１０に第１絶縁層１５１を塗布した図である。
【００６２】
第１絶縁層１５１をプリンティング（Ｐｒｉｎｔｉｎｇ）、ＣＶＤ（Ｃｈｅｍｉｃａｌ  Ｖａｐｅｒ  Ｄｅｐｏｓｉｔｉｏｎ）、スパッタリング（Ｓｐｕｔｔｅｒｉｎｇ）、スピンコーティング、スロットダイなどを用いてベゼル１２０とベゼルとの間を充填する。充填された第１絶縁層１５１は、有機絶縁膜または無機絶縁膜からなる。この際、第１絶縁層１５１は、ベゼル１２０の高さまで充填することが好ましい。しかし、ベゼル１２０とベゼルとの間に塗布液を充填する過程で塗布液がベゼル１２０より高すぎる高さに充填されるか、低い高さに充填される工程誤差が頻繁に発生しうる。場合に応じて、工程誤差が後工程に影響を及ぼさない誤差範囲では、第１絶縁層の塗布過程を省略してもよい。この場合、絶縁層は、段差を減少させるか表面の不均一性を解消する役割をする。
【００６３】
第１絶縁層１５１の高さ（Ｌ）は、製品の視認性と製品の厚さおよび製品の収率を考慮して高さを決める。したがって、第１絶縁層１５１は、０≦Ｌ＜ベゼルの高さ（ＢＬ）×１．３μｍの範囲で充填する。第１絶縁層１５１を積層する工程は、スクリーン印刷方式の工程を用いることが好適である。第１絶縁層１５１の工程としては、上述のように、スクリーン印刷、ラミネーション、スパッタリング、スロッダイなどの工程を用いてもよい。
【００６４】
図８の（ｂ）は、ウィンドウ基板１１０に第２絶縁層１５２を塗布した図である。
【００６５】
第２絶縁層１５２は、第１絶縁層１５１とベゼルの表面に形成される。第２絶縁層１５２は、第１絶縁層１５１と同じ材質と工程を用いて積層する。しかし、場合に応じて、異なる材質および異なる工程を用いて積層してもよい。
【００６６】
第２絶縁層１５２が第１絶縁層１５１に形成されると、ウィンドウ基板１１０の中央点における高さ（ｄ）は、次の式：積層方向における第２絶縁層１５２の高さ（２Ｌ）×０．０５μｍ＜中央点における高さ（ｄ）μｍ≦第２絶縁層の高さ（２Ｌ）×１．３μｍを満たす。これは、電極パターン１４０の形成時に電気的信頼性を低下させない範囲を設定したものである。第２絶縁層１５２は、積層方向における前記第２絶縁層１５２の高さ（２Ｌ）が前記ベゼル１２０の高さ（ＢＬ）に対して３倍の大きさを超えないようにする。これは、製品の厚さが増加することを防止し、タッチセンサ１の収率を改善するためである。
【００６７】
図８の（ｃ）は、ウィンドウ基板１１０に電極パターン１４０を形成した図である。
【００６８】
電極パターンの材質および関連説明は、前記本発明の一実施例によるタッチセンサ１に係る説明において説明したため、重複する説明は省略する。電極パターンは、絶縁層の表面に形成される。１層構造の電極パターン１４０を用いて自己静電容量方式（Ｓｅｌｆ  Ｃａｐａｃｉｔｉｖｅ  Ｔｙｐｅ）タッチセンサまたは相互静電容量方式（Ｍｕｔｕａｌ  Ｃａｐａｃｉｔｉｖｅ  Ｔｙｐｅ）タッチセンサを製作することができる。また、ベゼル１２０の非活性領域に、外部に電気的信号を伝達する配線電極が形成される。
【００６９】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７０】
本発明の単純な変形乃至変更はいずれも本発明の領域に属するものであり、本発明の具体的な保護範囲は添付の特許請求の範囲により明確になるであろう。
【産業上の利用可能性】
【００７１】
本発明は、タッチセンサに適用可能である。
【符号の説明】
【００７２】
１  タッチセンサ
１１０  ウィンドウ基板
１１１  活性領域
１１２  非活性領域
１２０  ベゼル
１４０  電極パターン
１５０  絶縁層
１５１  第１絶縁層
１５２  第２絶縁層
【図１】
2015018532.tif 000003
【図２】
2015018532.tif 000004
【図３】
2015018532.tif 000005
【図４】
2015018532.tif 000006
【図５】
2015018532.tif 000007
【図６】
2015018532.tif 000008
【図７】
2015018532.tif 000009
【図８】
2015018532.tif 000010